(57)【要約】【課題】  本発明は装置内に存在する塵埃を捕集する手段を有するディスク装置に関し、重量の重い塵埃であっても確実に捕集することを課題とする。【解決手段】  ベース２１と、このベース２１に配設されておりモータ２０により回転するスピンドルハブ１６と、このスピンドルハブ１６のベース２１に近い位置に形成された受け台１５にスペーサ１７を介して複数積層状態で配設される磁気ディスク１４Ａ〜１４Ｄと、受け台１５に設けられ塵埃を捕集する捕集部材３０とを設ける。【選択図】  図３
2005056527.tif 000002
【特許請求の範囲】
【請求項１】
ベースと、
該ベースに配設されており、モータにより回転するハブと、
該ハブにスペーサを介して複数積層状態で配設されるディスクと、
前ハブのベースよりの端部に設けられており、塵埃を捕集する捕集部材と
を設けたことを特徴とするディスク装置。
【請求項２】
ベースと、
該ベースに配設されており、モータにより回転するハブと、
該ハブに形成された受け台上に、スペーサを介して複数積層状態で配設されるディスクと、
前記スペーサに設けられており、塵埃を捕集する捕集部材と
を設けたことを特徴とするディスク装置。
【請求項３】
ベースと、
該ベースに配設されており、モータにより回転するハブと、
該ハブに複数積層状態で配設されるディスクと、
前記ベースの前記ハブ寄りの位置に設けられており、塵埃を捕集する溝状の捕集部と
を設けたことを特徴とするディスク装置。
【請求項４】
ベースと、
該ベースに配設されており、モータにより回転するハブと、
該ハブに複数積層状態で配設されるディスクと、
前記ハブに前記ベースと対向するよう配設されると共に、回転時に気流が流れる複数の貫通孔が形成されたダミーディスクと、
前記塵埃を捕集する前記捕集部材と
を設けたことを特徴とするディスク装置。
【発明の詳細な説明】
【技術分野】
【０００１】
本発明はディスク装置に係り、特に装置内に存在する塵埃を捕集する手段を有するディスク装置に関する。
【０００２】
近年、小型磁気ハードディスク装置に代表されるようなディスク装置では、記録再生処理の安定化が望まれている。この安定した記録再生処理には、装置内における塵埃の影響を極力少なくすることが重要である。
【背景技術】
【０００３】
一般に、磁気ディスクに磁気ヘッドによって情報の書込み／読み取りを行なう磁気ディスク装置がコンピュータの周辺機として広く使用されている。この磁気ディスク装置は、高速で回転する磁気ディスク上に磁気ヘッドが微小な間隙を保って浮上し、この状態で記録再生処理が行われる。
【０００４】
このため、塵埃が磁気ヘッド或いは磁気ディスクに付着すると、磁気ヘッドの浮上安定性が損なわれ、遂にはヘッドクラッシュに至ってしまう。よって、一般に磁気ディスク装置は、密閉されたハウジング内に磁気ディスク及び磁気ヘッド等を収容した構造を採っている。
【０００５】
図１は密閉されたハウジング２内に磁気ディスク４Ａ〜４Ｄ及び磁気ヘッド８等を収容した構造のディスク装置を示し、図２は磁気ディスク装置に組み込まれるディスク組立体１を示している。尚、図１（Ｂ）は図１（Ａ）におけるＡ−Ａ線に沿う断面図である。
【０００６】
図１に示すように、磁気ディスク装置は、ハウジング２内にディスク組立体１及び磁気ヘッドユニット７を設けた構成とされている。磁気ヘッドユニット７は、ボイスコイルモータ７ａにより磁気ヘッドアーム７ｂを揺動させる。この磁気ヘッドアーム７ｂの先端部には磁気ヘッド８が設けられており、よって磁気ヘッド８は磁気ヘッドユニット７により磁気ディスク４Ａ〜４Ｄ上の任意位置に移動される。
【０００７】
ディスク組立体１は、図２に示すように、複数（同図に示す例では４枚）の磁気ディスク４Ａ〜４Ｄを支持するスピンドルハブ３を有している。このスピンドルハブ３は、ハウジング２のベース２ａ（ハウジング２の底面）に垂直に立設された中心固定軸（図示せず）に回転自在に配設されており、また内設されたモータ（図示せず）により所定の回転数で回転するよう構成されている。
【０００８】
スピンドルハブ３は略円筒形状を有しており、このスピンドルハブ３には先ず磁気ディスク４Ａが挿通され、続いて環状のスペーサ５が挿通され、その後に磁気ディスク４Ｂ〜４Ｄとスペーサ５が交互に挿通される。これにより、図２（Ａ）に示すように、磁気ディスク４Ａ〜４Ｄとスペーサ５は交互に積み上げられた状態となる。
【０００９】
そして、最上部に位置する磁気ディスク４Ｄの上部には、円盤状のクランプ６が装着される。このクランプ６は、複数の固定ネジによりスピンドルハブ３に締結される構成とされている。この締結力により、磁気ディスク４Ａ〜４Ｄ及びスペーサ５はスピンドルハブ３に固定される。
【００１０】
上記構成とされたディスク組立体１は、密閉されたハウジング２内に収納される。これにより、磁気ディスク４Ａ〜４Ｄ及び磁気ヘッド８に塵埃が付着するのを防止していた。しかしながら、磁気ディスク装置１が長期に亙って使用された場合、徐々に磁気ヘッド８に塵埃が付着し、やがて磁気ディスク４Ａ〜４Ｄと継続的に接触してしまう。
【００１１】
このように、磁気ヘッド８と磁気ディスク４Ａ〜４Ｄが継続的に接触すると、磁気ディスク４Ａ〜４Ｄと磁気ヘッド８との間で磨耗粉等の新たな塵埃が発生し、これが磁気ディスク４Ａ〜４Ｄの回転による気流に乗ってハウジング４内に発散される。この場合、加速度的に磁気ディスク４Ａ〜４Ｄや磁気ヘッド８の損傷が進行してヘッドクラッシュを発生し、データの消失を招くことになる。
【００１２】
このため従来から、ハウジング２の内部に浮遊する塵埃を捕集するための捕集部材（フィルタ部材）９を設けることが行なわれている（例えば、特許文献１参照）。従来では、図１に示すように、塵埃の捕集部材９はディスク組立体１の側部位置に立設するよう設けられていた。即ち、ディスク組立体１の外周に位置する塵埃のみを捕集する構成とされていた。
【特許文献１】特開平７−６５７９号公報
【発明の開示】
【発明が解決しようとする課題】
【００１３】
しかしながら、図１に示した従来の磁気ディスク装置では、捕集部材９により一定の塵埃の捕集効果を得られるものの、ハウジング２内の塵埃を確実に捕集することはできなかった。
【００１４】
具体的には、従来の磁気ディスク装置では、図２に矢印Ｐで示す位置、即ちスピンドルハブ３のベース２ａに近い位置（即ち、ハウジング２の下部）で、かつ磁気ディスク４Ａ〜４Ｄの中心に近い位置に多量の塵埃が堆積することが判明した。これは、ハウジング２内に浮遊する塵埃の多くが、ソリッド・パーティクル(Solid Particle)と称せられる重量の重い金属或いは金属酸化物よりなることが原因であると思われる。
【００１５】
本発明は上記の点に鑑みてなされたものであり、重量の重い塵埃であっても確実に捕集することを可能としたディスク装置を提供することを目的とする。
【課題を解決するための手段】
【００１６】
上記の課題を解決するために本発明では、次に述べる手段を講じたことを特徴とするものである。
【００１７】
請求項１記載の発明は、
ベースと、
該ベースに配設されており、モータにより回転するハブと、
該ハブにスペーサを介して複数積層状態で配設されるディスクと、
前ハブのベースよりの端部に設けられており、塵埃を捕集する捕集部材と
を設けたことを特徴とするものである。
【００１８】
上記発明によれば、ハブのベースに近い位置である受け台に塵埃を捕集する捕集部材を設けたことにより、効率よく塵埃を捕集することができる。即ち、ハブの回転に伴いディスクが回転すると、ディスク表面にはディスク中心部に向う風の流れが発生し、従って塵埃もこの風の流れに乗って移動する。また、塵埃は重量のある金属やその酸化物を多く含んでおり、このため塵埃は下方（ベース側）へ移動しやすい性質を有している。このため、ベースに近くかつディスク中心部に配設された受け台に捕集部材を設けることにより、塵埃を効率よく捕集することができる。
【００１９】
また、上記請求項１に記載の発明において、前記ベースに前記塵埃を前記捕集部材に案内するガイド部材を設けた構成としてもよい。
【００２０】
また、上記請求項１に記載の発明において、前記ガイド部材を前記ベース上に突出するよう形成されたリブにより構成してもよい。
【００２１】
また、上記請求項１に記載の発明において、前記ガイド部材を前記ベース上に窪んで形成された溝部により構成してもよい。
【００２２】
また、請求項２記載の発明は、
ベースと、
該ベースに配設されており、モータにより回転するハブと、
該ハブにスペーサを介して複数積層状態で配設されるディスクと、
前記スペーサに設けられており、塵埃を捕集する捕集部材とを設けたことを特徴とするものである。
【００２３】
上記発明によれば、ディスク中心部に配設されるスペーサに捕集部材を設けたため、塵埃を効率よく捕集することができる。
【００２４】
また、請求項３記載の発明は、
ベースと、
該ベースに配設されており、モータにより回転するハブと、
該ハブに複数積層状態で配設されるディスクと、
前記ベースの前記ハブ寄りの位置に設けられており、塵埃を捕集する溝状の捕集部とを設けたことを特徴とするものである。
【００２５】
上記発明によれば、ディスクが配設されたハブよりも下部に位置するベースに塵埃を捕集する溝状の捕集部を設けると共に、その配設位置をハブ寄りの位置に設定したことにより、重量があり下方（ベース側）へ移動しやすい性質を有する金属やその酸化物等よりなる塵埃を効率よく捕集することができる。
【００２６】
また、上記請求項３記載の発明において、前記捕集部に粘着部材を配設した構成としてもよい。
【００２７】
また、上記請求項３記載の発明において、前記ベースに前記塵埃を前記捕集部に案内する傾斜面を形成した構成としてもよい。
【００２８】
また、請求項４記載の発明は、
ベースと、
該ベースに配設されており、モータにより回転するハブと、
該ハブに複数積層状態で配設されるディスクと、
前記ハブに前記ベースと対向するよう配設されると共に、回転時に気流が流れる複数の貫通孔が形成されたダミーディスクと、
前記塵埃を捕集する前記捕集部材とを設けたことを特徴とするものである。
【００２９】
上記発明によれば、ハブにダミーディスクを配設したことにより、ダミーディスクを配設することなくダミーディスク配設位置を空間部とした構成に比べ、ディスクの回転に伴い発生する風の流れを均一化することができ、塵埃の発生及び飛散を防止できる。また、ダミーディスクには回転時に気流が流れる複数の貫通孔が形成されているため、ダミーディスクの上面側に流れ込んだ塵埃は貫通孔を介してダミーディスクの下面側に流れ込む。このため、より効率的な塵埃を捕集部材で捕集することができる。
【発明の効果】
【００３０】
上記のように本発明によれば、ハブのベースに近い位置或いはベースのハブに近い位置に、塵埃を捕集する捕集部材或いは捕集部を設けたことにより、塵埃はディスクの回転により発生する風の流れに沿って移動するため、捕集部材或いは捕集部において効率よく塵埃を捕集することができる。
【発明を実施するための最良の形態】
【００３１】
次に、本発明を実施するための最良の形態について図面と共に説明する。
【実施例１】
【００３２】
図３乃至図６は、本発明の第１実施例であるディスク装置１０を説明するための図である。尚、本実施例では、ディスク装置として3.5インチのディスク径を有する磁気ディスク装置１０を例に挙げて説明するのとする。しかしながら、本願発明の適用は、これに限定されものではない。
【００３３】
図３は磁気ディスク装置１０に設けられるディスク組立体１２を拡大して示す断面図であり、図４は磁気ディスク装置１０の概略構成を示す平面図であり、図５はディスク組立体１２を拡大して示す断面斜視図であり、図６はディスク組立体１２の受け台１５近傍を示す図である。尚、図３（Ｂ）は、図３（Ａ）におけるＢ−Ｂ線に沿う断面を示している。
【００３４】
先ず、図４及び図５を用いて磁気ディスク装置１０の概略構成について説明する。図４に示すように、磁気ディスク装置１０は、大略するとハウジング１１，ディスク組立体１２及びクチュエータ部１３等により構成されている。
【００３５】
ディスク組立体１２は、図３及び図５に拡大して示すように、大略すると複数（本実施例では４枚）の磁気ディスク１４Ａ〜１４Ｄ、スピンドルハブ１６、クランプ１８、軸１９、及びモータ２０等により構成されている。
【００３６】
スピンドルハブ１６は、ハウジング１１の底部となるベース２１に垂直に立設された軸１９に回転自在に配設されており、またスピンドルハブ１６に内設されたモータ２０により所定の回転数で回転するよう構成されている。このスピンドルハブ１６は略円筒形状を有しており、その下端部（ベース２１に近い側の端部）にはフランジ状の受け台１５が一体的に形成されている。この受け台１５の外形寸法は、磁気ディスク１４Ａ〜１４Ｄ及びスペーサ１７が装着される部分のスピンドルハブ１６の外形寸法よりも大きくなっている。
【００３７】
このスピンドルハブ１６には先ず磁気ディスク１４Ａが挿通され、続いて環状のスペーサ１７が挿通され、その後に磁気ディスク１４Ｂ〜１４Ｄとスペーサ１７が交互に挿通される。これにより、図５に示すように、磁気ディスク１４Ａ〜１４Ｄとスペーサ１７は交互に積み上げられた状態となる。後述するクチュエータ部１３を構成するアーム２５（磁気ヘッド２６等が配設されている）は、スペーサ１７により形成される各磁気ディスク１４Ｂ〜１４Ｄの間に挿入される。
【００３８】
クランプ１８は円盤形状を有しており、最上部に位置する磁気ディスク４Ｄ上に装着される。具体的には、このクランプ１８は複数（本実施例では６本）の固定ネジ２２によりスピンドルハブ１６の上端部に締結される。
【００３９】
このクランプ１８をスピンドルハブ１６に締結する際、スピンドルハブ１６はモータ２０により高速回転するものであるため、強い固定トルクで磁気ディスク１４Ａ〜１４Ｄをスピンドルハブ１６に固定することが行なわれている。これにより、磁気ディスク１４Ａ〜１４Ｄは、確実にスピンドルハブ１６に固定される。
【００４０】
一方、アクチュエータ部１３は、上下方向に等間隔に配置された複数のアーム２５（図４に最上部に位置するアーム２５のみ現れる）を有している。この各アーム２５の先端には、先端に磁気ヘッド２６を搭載したスプリング２７が固定されている。磁気ヘッド２６は、磁気ディスク１４Ａ〜１４Ｄの表裏両面にそれぞれ対向するよう配設位置及び配設数が選定されている。
【００４１】
この各アーム２５は、軸２８に対し回転可能に軸承された構成とされている。また、各アーム２５は、ボイスコイルモータ２９により回動付勢される構成とされている。このボイスコイルモータ２９は、各アーム２５の軸２８を中心として磁気ヘッド２６が配設された側と反対側に配設されている。そして、このボイスコイルモータ２９に供給する電流を制御することにより、アーム２５は図３に矢印Ｂ１，Ｂ２方向に揺動し、磁気ヘッド２６を磁気ディスク１４Ａ〜１４Ｄの任意位置にシークすることが可能となる。
【００４２】
また、上記した磁気ヘッド２６は、磁気ディスク１４Ａ〜１４Ｄが静止している時は磁気ディスク１４Ａ〜１４Ｄの面と接触し、磁気ディスク１４Ａ〜１４Ｄが回転すると、磁気ディスク１４Ａ〜１４Ｄの表面から僅か浮上して記録再生処理を行なう構成とされている。
【００４３】
磁気ヘッド２６の入出力信号及びボイスコイルモータ２９の駆動電流等は、フレキシブル基板２４を介して磁気ディスク装置１０の外部装置と接続される。尚、ハウジング１１の上部は外部から塵埃等の浸入を防止するために蓋体が配設されることにより密閉されるが、図４はこの蓋体を取り外した状態を示している。
ここで、本実施例に係る磁気ディスク装置１０において、スピンドルハブ１６の下部位置に注目する。図３及び図６に示されるように、本実施例に係る磁気ディスク装置１０は、塵埃を捕集する捕集部材３０をスピンドルハブ１６に設けた構成としている。また、捕集部材３０の具体的な配設位置は、ベース２１に近い位置、即ちスピンドルハブ１６の下端に形成された受け台１５の側面に選定されている。尚、本実施例では、捕集部材３０を受け台１５の全周に設けた構成としているが、所定の間隔で配設する構成としてもよい。
【００４４】
この捕集部材３０は、ソリッド・パーティクル(Solid Particle)と称せられる重量の重い金属或いは金属酸化物よりなる塵埃を捕集できる材質が選定されている。この捕集部材３０として用いることができる材料としては、粘着テープ（両面テープ）、静電用シート、毛細状のフィルタ素材等が考えられる。
【００４５】
捕集部材３０として粘着テープを用いた場合には、金属或いは金属酸化物よりなる塵埃は粘着テープの粘着力により捕集部材３０に捕集（粘着）される。また、捕集部材３０として静電用シートを用いた場合には、上記の塵埃は静電用シートの有する静電力により捕集部材３０に捕集（吸着）される。また、捕集部材３０として毛細状のフィルタ素材を用いた場合には、上記の塵埃は毛細状のフィルタ素材に絡み合うことにより捕集部材３０に捕集（吸着）される。
【００４６】
尚、捕集部材３０の材質は、上記したものに限定されるものではなく、上記の重量の重い金属或いは金属酸化物よりなる塵埃を捕集できるものであれば、他の材質を用いる構成としてもよい。この際、捕集部材３０自体から塵埃（コンタミ）が発生しない材質を選定することが重要である。
【００４７】
上記のように本実施例に係る磁気ディスク装置１０は、スピンドルハブ１６のベース２１に近い位置である受け台１５に塵埃を捕集する捕集部材３０を設けることにより、効率よく塵埃を捕集することが可能となる。即ち、モータ２０によりスピンドルハブ１６が回転し、この回転に伴い磁気ディスク１４Ａ〜１４Ｄが回転すると、ディスク表面には風の流れが発生する。
【００４８】
そこで、この磁気ディスク１４Ａ〜１４Ｄが回転したときの風の流れの状況をシミュレーションにより求めたところ、図３に矢印Ｂで示すようにディスク中心部に向う風の流れが発生することが判明した。従って、塵埃もこの風の流れに乗って、ディスク中心部に向う方向に移動する。また、金属やその酸化物等よりなる重量のある塵埃は、下方（ベース２１側）へ移動しやすい移動特性を有している。以上の点より、金属やその酸化物等よりなる重量のある塵埃は、主にベース２１に近くかつディスク中心部（即ち、スピンドルハブ１６の位置）に集まり易いことが判明した。これは、従来において図２に矢印Ｐで示す位置に多く塵埃が堆積したこととも一致する。
【００４９】
そこで、上記事項に基づき本実施例では、ベース２１に近くかつディスク中心部に配設されている受け台１５に捕集部材３０を設ける構成とした。これにより、塵埃を効率よく捕集部材３０で捕集することが可能となり、よってヘッドクラッシュの発生を防止でき、これに伴い磁気ディスク１４Ａ〜１４Ｄに記録されたデータの消失も確実に防止することができる。
【００５０】
続いて、図７乃至図１１を参照し、本発明の第２乃至第６実施例について説明する。尚、図７乃至図１１において、第１実施例の説明に用いた図３乃至図６に示した構成と同一構成については同一符号を付してその説明を省略するものとする。
【実施例２】
【００５１】
図７は、本発明の第２実施例である磁気ディスク装置に設けられるディスク組立体１２を拡大して示す図である。尚、図７（Ａ）はディスク組立体１２の主要部分の断面図であり、図７（Ｂ）は図７（Ａ）におけるＣ−Ｃ線に沿う断面図である。
【００５２】
本実施例では、ベース２１に前記塵埃を捕集部材３０に案内するガイドリブ３１（ガイド部材）を設けたことを特徴としている。このガイドリブ３１は、ベース２１の上面に対して突出するよう形成されたリブである。このガイドリブ３１は、図７（Ｂ）に示されるように、磁気ディスク１４Ａ〜１４Ｄの回転により発生する風の流れに沿った形状とされている。
【００５３】
このガイドリブ３１は、磁気ディスク１４Ａ〜１４Ｄの回転により発生する風の流れを強制的に捕集部材３０に向かうように案内する。これにより、風の流れに伴い浮遊する塵埃も強制的に捕集部材３０に案内されることとなり、効率的に塵埃を捕集部材３０で捕集することができる。従って、本実施例の構成とすることにより、ヘッドクラッシュ等の不都合の発生をより確実に防止できる。
【００５４】
尚、本実施例では、ガイドリブ３１を２本設けた構成を示したが、ガイドリブ３１の配設数はこれに限定されるものではない。また、ガイドリブ３１の形状も、本実施例で示した形状に限定されものではなく、風の流れに伴い浮遊する塵埃を強制的に捕集部材３０に案内できるものであれば他の形状としてもよい。
【実施例３】
【００５５】
図８は、本発明の第３実施例である磁気ディスク装置に設けられるディスク組立体１２を拡大して示す図である。尚、図８（Ａ）はディスク組立体１２の主要部分の断面図であり、図８（Ｂ）は図８（Ａ）におけるＤ−Ｄ線に沿う断面図である。
【００５６】
本実施例では、ベース２１に前記塵埃を捕集部材３０に案内するガイド溝３２（ガイド部材）を設けたことを特徴としている。このガイド溝３２は、ベース２１の上面より窪むように形成された溝である。このガイド溝３２は、図８（Ｂ）に示されるように、磁気ディスク１４Ａ〜１４Ｄの回転により発生する風の流れに沿った形状とされている。
【００５７】
このガイド溝３２は、磁気ディスク１４Ａ〜１４Ｄの回転により発生する風の流れが流入することにより、この風の流れを強制的に捕集部材３０に向かうように案内する。これにより、風の流れに伴い浮遊する塵埃も強制的に捕集部材３０に案内されることとなり、効率的に塵埃を捕集部材３０で捕集することができる。従って、本実施例においても、ヘッドクラッシュ等の不都合の発生をより確実に防止できる。
【００５８】
尚、ガイド溝３２の配設数は特に限定されるものではない。また、ガイド溝３２の形状も、本実施例で示した形状に限定されものではなく、風の流れに伴い浮遊する塵埃を強制的に捕集部材３０に案内できるものであれば他の形状としてもよい。
【実施例４】
【００５９】
図９は、本発明の第４実施例である磁気ディスク装置に設けられるディスク組立体１２を拡大して示す図である。尚、図９（Ａ）はディスク組立体１２の主要部分の断面図であり、図９（Ｂ）は図９（Ａ）におけるＥ−Ｅ線に沿う断面図である。
【００６０】
本実施例では、ベース２１に前記塵埃を捕集する捕集部３３Ａを設けたことを特徴としている。捕集部３３Ａは、ベース２１のスピンドルハブ寄りの位置に設けられている。この捕集部３３Ａは、ベース２１に形成されたＵ字溝３４と、このＵ字溝３４上に配設された粘着部材３５とにより構成されている。Ｕ字溝３４は環状形状とされており、受け台１５の側面の直下位置に形成されている。また、粘着部材３５は、前記した捕集部材３０と同一材質のものである。
【００６１】
本実施例の構成とすることにより、重量があり下方（ベース２１側）へ移動しやすい性質を有する金属やその酸化物等よりなる塵埃を効率よく捕集することができる。また、風の流れに伴い飛んでくる塵埃は、受け台１５の側面に当接することにより下方に落下する。捕集部３３Ａは、この落下位置に形成されている。このため、塵埃は直接捕集部３３Ａに捕集されると共に、受け台１５の側面に当接しても捕集される。よって、本実施例によっても、効率的に塵埃を捕集することができる。
【実施例５】
【００６２】
図１０は、本発明の第５実施例である磁気ディスク装置に設けられるディスク組立体１２を拡大して示す図である。尚、図１０（Ａ）はディスク組立体１２の主要部分の断面図であり、図１０（Ｂ）は図１０（Ａ）におけるＦ−Ｆ線に沿う断面図である。
【００６３】
本実施例では、ベース２１に前記塵埃を捕集する捕集部３３Ｂを設けたことを特徴としている。捕集部３３Ｂも前記した捕集部３３Ａと同様に、ベース２１のスピンドルハブ寄りの位置に設けられている。この捕集部３３Ｂは、ベース２１に形成された凹部３６と、この凹部３６上に配設された粘着部材３５と、凹部３６と連続的に形成された傾斜面３７とにより構成されている。凹部３６は環状形状とされており、受け台１５の側面の直下位置に形成されている。また、粘着部材３５は、前記した捕集部材３０と同一材質のものである。更に、傾斜面３７は凹部３６の形成位置に向け漸次深くなるような傾斜面とされている。
【００６４】
本実施例の構成とすることにより、前記した第４実施例と同様に、風の流れに伴い飛んでくる塵埃は、受け台１５の側面に当接することにより下方に落下し捕集部３３Ｂに捕集される。また、受け台１５の側面に当接しても捕集される。風の流れに伴い直接捕集部３３Ｂに捕集される塵埃においては、風の流れが傾斜面３７に案内されるため、より効率的に塵埃を粘着部材３５（凹部３６）に案内することができる。よって、本実施例によっても、効率的に塵埃を捕集することができる。
【実施例６】
【００６５】
図１１は、本発明の第６実施例である磁気ディスク装置に設けられるディスク組立体１２を拡大して示す図である。尚、図１１（Ａ）はディスク組立体１２の主要部分の断面図であり、図１１（Ｂ）は図１１（Ａ）におけるＧ−Ｇ線に沿う断面図であり、図１１（Ｃ）は図１１（Ｂ）におけるＨ−Ｈ線に沿う断面図である。
【００６６】
前記した各実施例では、４枚配設されるディスクの全てが磁気ディスク４Ａ〜４Ｄとされていた。これに対して本実施例では、ベース２１に近い位置に配設される磁気ディスク４Ａに代えてダミーディスク４０を設けたことを特徴としている。
【００６７】
このダミーディスク４０は、磁気記録再生処理には寄与しないディスクである。具体的には、ダミーディスク４０は樹脂製の円盤であり、磁気記録再生を行なうための磁性層は形成されていない。また、ダミーディスク４０の形状は、磁気ディスク４Ｂ〜４Ｃと同一形状とされている。
【００６８】
磁気ディスク装置には種々の記録容量が望まれているが、この各種磁気容量に対応して個々に磁気ディスク装置を製造するのでは効率が悪い。このため、スピンドルハブ１６に配設する磁気ディスクの数により、磁気ディスク装置の記録容量を調整することが行なわれている。従来では、低容量対応の磁気ディスクを製造するには、単に不要な磁気ディスクを取り除く構成とされていた。
【００６９】
これに対して本実施例では、上記のように低容量対応の磁気ディスクを製造する際、ダミーディスク４０を設けると共に、このダミーディスク４０の配設位置をベース２１に近い位置としたことを特徴としている。また、本実施例で用いてるダミーディスク４０は、図１１（Ｂ），（Ｃ）に示すように、複数の貫通孔４１を形成した構成とされている。更に、塵埃を捕集する捕集部材３０は前記した第１実施例と同様に受け台１５の側面に設けられるが、更に本実施例ではスペーサ１７の側面にも捕集部材３０を配設した構成としている。
【００７０】
本実施例では、上記のようにスピンドルハブ１６のベース２１に近い最下部位置にダミーディスク４０を配設したことにより、各ディスク４０，１４Ｂ〜１４Ｄの回転に伴い発生する風の流れを均一化することができる。即ち、ダミーディスク４０を配設することなくダミーディスク配設位置を空間部とした場合、磁気ディスク１４Ａが配設されていた位置が空間部となるため、磁気ディスク１４Ｂ〜１４Ｄの回転に伴い発生する風の流れは不均一となる。これに伴い、風の流れと共に飛散する塵埃の飛散も複雑となり、捕集部材の配設位置を増やさないと塵埃の確実な捕集ができなくなる。しかしながら、実際に捕集部材の配設数を増すことは困難であり、また配設位置の選定も困難となる。
【００７１】
しかしながら、本実施例のようにダミーディスク４０を設けることにより、各ディスク４０，１４Ｂ〜１４Ｄの回転に伴い発生する風の流れを均一化することができ、塵埃の発生や不規則な飛散を防止することができる。よって、少ない捕集部材３０の配設数で、確実に塵埃を捕集することができる。
【００７２】
また、ダミーディスク４０には回転時に気流が流れる複数の貫通孔４１が形成されているため、ダミーディスク４０の上面側に流れ込んだ塵埃は貫通孔４１を介してダミーディスク４０の下面側に流れ込み、受け台１５に配設された捕集部材３０に捕集される。
【００７３】
更に、上記したように本実施例では、各ディスク４０，１４Ｂ〜１４Ｄ間に配設されたスペーサ１７にも捕集部材３０が設けられている。このため、各ディスク４０，１４Ｂ〜１４Ｄ間に侵入した塵埃に対してもスペーサ１７により捕集が可能となり、より塵埃の捕集を効率的に行なうことが可能となる。
【００７４】
尚、スペーサ１７に捕集部材３０を配設する構成は、必ずしもダミーディスク４０を設けることとは関係がなく、前記した第１乃至第５実施例においてスペーサ１７に捕集部材３０を配設する構成とすることも可能である。
【００７５】
以上の説明に関し、更に以下の項を開示する。
（付記１）
ベースと、
該ベースに配設されており、モータにより回転するハブと、
該ハブに形成された受け台上に、スペーサを介して複数積層状態で配設されるディスクと、
前記受け台に設けられており、塵埃を捕集する捕集部材と
を設けたことを特徴とするディスク装置。
（付記２）
付記１記載のディスク装置において、
前記ベースに、前記塵埃を前記捕集部材に案内するガイド部材を設けたことを特徴とするディスク装置。
（付記３）
付記２記載のディスク装置において、
前記ガイド部材は、前記ベース上に突出するよう形成されたリブにより構成されることを特徴とするディスク装置。
（付記４）
付記２記載のディスク装置において、
前記ガイド部材は、前記ベース上に窪んで形成された溝部により構成されることを特徴とするディスク装置。
（付記５）
ベースと、
該ベースに配設されており、モータにより回転するハブと、
該ハブに形成された受け台上に、スペーサを介して複数積層状態で配設されるディスクと、
前記スペーサに設けられており、塵埃を捕集する捕集部材と
を設けたことを特徴とするディスク装置。
（付記６）
ベースと、
該ベースに配設されており、モータにより回転するハブと、
該ハブに形成された受け台上に、スペーサを介して複数積層状態で配設されるディスクと、
前記ベースの前記ハブ寄りの位置に設けられており、塵埃を捕集する溝状の捕集部と
を設けたことを特徴とするディスク装置。
（付記７）
付記６記載のディスク装置において、
前記捕集部に、粘着部材を配設したことを特徴とするディスク装置。
（付記８）
付記６または７記載のディスク装置において、
前記ベースに、前記塵埃を前記捕集部に案内する傾斜面を形成したことを特徴とするディスク装置。
（付記９）
ベースと、
該ベースに配設されており、モータにより回転するハブと、
該ハブに配設されており、スペーサを介して複数積層状態で配設されるディスクと、
前記ハブに形成された受け台上に前記ベースと対向するよう配設されると共に、回転時に気流が流れる複数の貫通孔が形成されたダミーディスクと、
前記塵埃を捕集する前記捕集部材と
を設けたことを特徴とするディスク装置。
【図面の簡単な説明】
【００７６】
【図１】従来の一例である磁気ディスク装置を説明するための図である。
【図２】従来の一例である磁気ディスク装置に組み込まれるディスク組立体を説明するための図である。
【図３】本発明の第１実施例である磁気ディスク装置に組み込まれるディスク組立体を説明するための図である。
【図４】本発明の第１実施例であるディスク装置の概略構成を示す平面図である。
【図５】本発明の第１実施例であるディスク装置に組み込まれるディスク組立体の断面斜視図である。
【図６】図５に示すディスク組立体の受け台近傍を拡大して示す図である。
【図７】本発明の第２実施例である磁気ディスク装置に組み込まれるディスク組立体を説明するための図である。
【図８】本発明の第３実施例である磁気ディスク装置に組み込まれるディスク組立体を説明するための図である。
【図９】本発明の第４実施例である磁気ディスク装置に組み込まれるディスク組立体を説明するための図である。
【図１０】本発明の第５実施例である磁気ディスク装置に組み込まれるディスク組立体を説明するための図である。
【図１１】本発明の第６実施例である磁気ディスク装置に組み込まれるディスク組立体を説明するための図である。
【符号の説明】
【００７７】
１０  磁気ディスク装置
１１  ハウジング
１２  ディスク組立体
１３  アクチュエータ部
１４Ａ〜１４Ｄ  磁気ディスク
１５  受け台
１６  スピンドルハブ
１７  スペーサ
３０  捕集部材
３１  ガイドリブ
３２  ガイド溝
３３Ａ，３３Ｂ  捕集部
３４  Ｕ字溝
３５  粘着部材
３７  傾斜面
４０  ダミーディスク
４１  貫通孔
【図１】
2005056527.tif 000003
【図２】
2005056527.tif 000004
【図３】
2005056527.tif 000005
【図４】
2005056527.tif 000006
【図５】
2005056527.tif 000007
【図６】
2005056527.tif 000008
【図７】
2005056527.tif 000009
【図８】
2005056527.tif 000010
【図９】
2005056527.tif 000011
【図１０】
2005056527.tif 000012
【図１１】
2005056527.tif 000013